(57)【特許請求の範囲】
【請求項１】
透液性の表面シートと、不透液性の裏面シートと、両面をクレープ紙で包まれると共に前記表面シートと前記裏面シートとの間に介装される吸収体とを備えたペット用吸収性シートにおいて、
前記表面シート若しくは前記表面シート側の前記クレープ紙上に形成され、濡れることで機能を発揮する機能性インクで形成された複数の呈色反応部と、２つの呈色反応部の間に形成され周囲に比べて前記機能性インクによる形成層の厚さが薄い液導入部とから構成されるｐＨ判別部とを備え、前記呈色反応部の前記液導入部の延在方向と直交する短手方向の幅を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とするペット用吸収性シート。
【請求項２】
透液性の表面シートと、不透液性の裏面シートと、両面をクレープ紙で包まれると共に前記表面シートと前記裏面シートとの間に介装される吸収体と、前記表面シートと前記吸収体との間に配置される液移送シートとを備えたペット用吸収性シートにおいて、
液移送シート上に形成され、濡れることで機能を発揮する機能性インクで形成された複数の呈色反応部と、２つの呈色反応部の間に形成され周囲に比べて前記機能性インクによる形成層の厚さが薄い液導入部とから構成されるｐＨ判別部とを備え、前記呈色反応部の前記液導入部の延在方向と直交する短手方向の幅を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とするペット用吸収性シート。
【請求項３】
前記液導入部が、
互いに平行して設けられることを特徴とする
請求項１若しくは請求項２のいずれか一項に記載のペット用吸収性シート。
【請求項４】
前記液導入部が、
格子状に設けられることを特徴とする
請求項１若しくは請求項２のいずれか一項に記載のペット用吸収性シート。
【請求項５】
透液性の表面シートと、不透液性の裏面シートと、両面をクレープ紙で包まれると共に前記表面シートと前記裏面シートとの間に介装される吸収体とを備えたペット用吸収性シートにおいて、
前記表面シート若しくは前記表面シート側の前記クレープ紙上に形成され、濡れることで機能を発揮する機能性インクで形成された正方形の呈色反応部と、この呈色反応部の内部であってこの呈色反応部を複数の同一形状の正方形に分割したと想定した時のそれぞれの正方形の頂点に設けられる周囲に比べて前記機能性インクによる形成層の厚さが薄い液導入部とから構成されるｐＨ判別部とを備え、前記同一形状の正方形の対角線方向の他の前記液導入部までの距離を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とするペット用吸収性シート。
【請求項６】
透液性の表面シートと、不透液性の裏面シートと、両面をクレープ紙で包まれると共に前記表面シートと前記裏面シートとの間に介装される吸収体と、前記表面シートと前記吸収体との間に配置される液移送シートとを備えたペット用吸収性シートにおいて、
液移送シート上に形成され、濡れることで機能を発揮する機能性インクで形成された正方形の呈色反応部と、この呈色反応部の内部であってこの呈色反応部を複数の同一形状の正方形に分割したと想定した時のそれぞれの正方形の頂点に設けられる周囲に比べて前記機能性インクによる形成層の厚さが薄い液導入部とから構成されるｐＨ判別部とを備え、前記同一形状の正方形の対角線方向の他の前記液導入部までの距離を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とするペット用吸収性シート。
【発明の詳細な説明】
【技術分野】
【０００１】
本発明は、ペット用吸収性シートに関する。
【背景技術】
【０００２】
近年室内でのペット飼育者数が増加しており、犬、猫等のペットが排泄した尿等を吸収するためのペット用吸収性シートが普及している。こうしたペット用吸収性シートとしては、透液性の表面シートと、不透液性の裏面シートと、両面をクレープ紙で包まれると共に表面シートと裏面シートとの間に介装される吸収体と、を備える構成が知られている。
【０００３】
ペット用吸水性シートには、排尿と同時に尿のｐＨを判別するために、表面側のシート体（表面シート、表面シート側のクレープ紙、若しくは、表面シートと吸収体間に配置される液移送シート）に尿などで濡れることで機能を発揮すべく特殊な機能性インク（例えば、ｐＨインジケーターを含んだ特殊インク：以下、単にｐＨインクと呼ぶ。）で形成されたｐＨ判別部（図柄、模様など）が施されている。
【０００４】
また、ペット用吸水性シートにおけるｐＨ等を判別するｐＨ判別部に関連する技術として、特許文献１には、ｐＨにより変色する色素をにじみが生じないようにインク化して付着させる体液吸収用当て材に関する技術が、特許文献２には体液成分に応じて呈色反応する健康インジケーターを有するおむつに関する技術がそれぞれ記載されている。
【０００５】
ここで、従来のペット用吸収性シートは、シート体上にｐＨ判別部であるｐＨインクが直接形成される構造になっている。
また、このようなｐＨ判別部は、排泄された尿がｐＨ判別部の周辺部分から浸透することにより、ｐＨインクに含まれるｐＨインジケーターが呈色反応（例えば、酸性：黄色、中性：緑色、アルカリ性：青色にそれぞれ変色する。）を起こして、ユーザーに当該尿のｐＨを判別させる。
【先行技術文献】
【特許文献】
【０００６】
【特許文献１】特開２００２−０１１０３８号公報
【特許文献２】特開２００５−１５２２６４号公報
【発明の概要】
【発明が解決しようとする課題】
【０００７】
しかしながら、ｐＨインジケーターは親水性の性質のため、そのままでは、尿によって滲んだり、溶解してしまうため、疎水性原料を混合してインク化している。
このため、従来のｐＨインクでは、含有する疎水性原料に起因して尿の浸透が阻害されて、ｐＨインジケーターの変色スピードの悪化を招き、結局、ｐＨインジケーターとしての機能を十分に発揮できないといった問題点があった。
【０００８】
例えば、周囲に尿が流れ込んできた場合、図１１に示す正方形の形状のｐＨ判別部１には、図１１中”ＤＲ０１”、ＤＲ０２”、”ＤＲ０３”及び”ＤＲ０４”に示すように四方から尿が浸透してきて、図１１中”ＣＨ０１”に示す部分のｐＨインクに含まれるｐＨインジケーターに呈色反応が生じる。
【０００９】
但し、ｐＨインクが含有する疎水性原料に起因して、尿は、図１１中”ＲＭ０１”に示すｐＨ判別部１の中心部分には到達せずに、当該中心部分においてｐＨインジケーターの呈色反応が生じない場合が発生する。
【００１０】
本発明の課題は、ｐＨインクが含有する疎水性原料に影響を受けることなく、ｐＨ判別部が確実に呈色反応を生じることができるペット用吸収性シートを提供することにある。
【課題を解決するための手段】
【００１１】
前記課題を解決するために、請求項１記載の発明は、
透液性の表面シートと、不透液性の裏面シートと、両面をクレープ紙で包まれると共に前記表面シートと前記裏面シートとの間に介装される吸収体とを備えたペット用吸収性シートにおいて、
前記表面シート若しくは前記表面シート側の前記クレープ紙上に形成され、濡れることで機能を発揮する機能性インクで形成された複数の呈色反応部と、２つの呈色反応部の間に形成され周囲に比べて前記機能性インクによる形成層の厚さが薄い液導入部とから構成されるｐＨ判別部とを備え、前記呈色反応部の前記液導入部の延在方向と直交する短手方向の幅を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とする。
【００１２】
請求項２記載の発明は、
透液性の表面シートと、不透液性の裏面シートと、両面をクレープ紙で包まれると共に前記表面シートと前記裏面シートとの間に介装される吸収体と、前記表面シートと前記吸収体との間に配置される液移送シートとを備えたペット用吸収性シートにおいて、
液移送シート上に形成され、濡れることで機能を発揮する機能性インクで形成された複数の呈色反応部と、２つの呈色反応部の間に形成され周囲に比べて前記機能性インクによる形成層の厚さが薄い液導入部とから構成されるｐＨ判別部とを備え、前記呈色反応部の前記液導入部の延在方向と直交する短手方向の幅を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とする。
【００１３】
請求項３記載の発明は、
請求項１若しくは請求項２記載のペット用吸収性シートにおいて、液導入部が、互いに平行して設けられることを特徴とする。
【００１４】
請求項４記載の発明は、
請求項１若しくは請求項２記載のペット用吸収性シートにおいて、液導入部が、格子状に設けられることを特徴とする。
【００１５】
請求項５記載の発明は、
透液性の表面シートと、不透液性の裏面シートと、両面をクレープ紙で包まれると共に前記表面シートと前記裏面シートとの間に介装される吸収体とを備えたペット用吸収性シートにおいて、
前記表面シート若しくは前記表面シート側の前記クレープ紙上に形成され、濡れることで機能を発揮する機能性インクで形成された正方形の呈色反応部と、この呈色反応部の内部であってこの呈色反応部を複数の同一形状の正方形に分割したと想定した時のそれぞれの正方形の頂点に設けられる周囲に比べて前記機能性インクによる形成層の厚さが薄い液導入部とから構成されるｐＨ判別部とを備え、前記同一形状の正方形の対角線方向の他の前記液導入部までの距離を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とする。
【００１６】
請求項６記載の発明は、
透液性の表面シートと、不透液性の裏面シートと、両面をクレープ紙で包まれると共に前記表面シートと前記裏面シートとの間に介装される吸収体と、前記表面シートと前記吸収体との間に配置される液移送シートとを備えたペット用吸収性シートにおいて、
液移送シート上に形成され、濡れることで機能を発揮する機能性インクで形成された正方形の呈色反応部と、この呈色反応部の内部であってこの呈色反応部を複数の同一形状の正方形に分割したと想定した時のそれぞれの正方形の頂点に設けられる周囲に比べて前記機能性インクによる形成層の厚さが薄い液導入部とから構成されるｐＨ判別部とを備え、前記同一形状の正方形の対角線方向の他の前記液導入部までの距離を前記呈色反応部の尿の浸透距離の２倍よりも短くし、
前記浸透距離は、「ＪＩＳ  Ｐ８１４１：紙及び平紙―吸水試験法―クレム法」に準じて測定した値（但し、試験紙を水に浸す時間を１０秒とする）であることを特徴とする。
【発明の効果】
【００１７】
本発明によれば、透液性の表面シートと、不透液性の裏面シートと、両面をクレープ紙で包まれると共に表面シートと裏面シートとの間に介装される吸収体とを備えたペット用吸収性シートにおいて、表面シート若しくは表面シート側のクレープ紙上に形成され、濡れることで機能を発揮する機能性インクで形成された複数の呈色反応部と、２つの呈色反応部の間に形成され周囲に比べて前記機能性インクによる形成層の厚さが薄い液導入部とから構成されるｐＨ判別部とを備え、前記呈色反応部の前記液導入部の延在方向と直交する短手方向の幅を前記呈色反応部の尿の浸透距離の２倍よりも短くし、前記浸透距離は、「ＪＩＳ  Ｐ８１４１：紙及び平紙―吸水試験法―クレム法」に準じて測定した値（但し、試験紙を水に浸す時間を１０秒とする）であることにより、ｐＨインクが含有する疎水性原料に影響を受けることなく、ｐＨ判別部が確実に呈色反応を生じることができる。
【図面の簡単な説明】
【００１８】
【図１】第１実施形態のペット用吸収性シートの一例を示す平面図である。
【図２】図１のII−II断面の一例を示す図である。
【図３】図１のｐＨ判別部の詳細を示す説明図である。
【図４】ｐＨ判別部の構成と尿の浸透距離との関係を示す説明図である。
【図５】第２実施形態のペット用吸収性シートの一例を示す平面図である。
【図６】図５のVI−VI断面の一例を示す図である。
【図７】第３実施形態のペット用吸収性シートの一例を示す平面図である。
【図８】図７のVIII−VIII断面の一例を示す図である。
【図９】ｐＨ判別部の構成の変形例１及び２を示す説明図である。
【図１０】第４実施形態及び第５実施形態のペット用吸収性シートのｐＨ判別部の詳細を示す説明図である。
【図１１】従来のｐＨ判別部の変色状況を示す説明図である。
【発明を実施するための形態】
【００１９】
以下、図面を参照しつつ、本発明の実施形態であるペット用吸収性シートを詳細に説明する。但し、発明の範囲は、図示例に限定されない。
【００２０】
（第１実施形態）
本発明の第１実施形態のペット用吸収性シートについて、図１、図２、図３及び図４に基づいて説明する。
【００２１】
ペット用吸収性シート１００、図１に示すように、略長方形の形状となっており、例えば、ペット用トイレの床面に敷いて使用され、ペットにより排泄された排泄物の水分を表面からシート内に吸収する。また、ペット用吸収性シート１００にはｐＨインクでｐＨ判別部が形成されている。
【００２２】
また、図２に示すように、パルプとポリマーを含む吸収体２の上面及び下面は、クレープ紙３及び４で包まれており、表面シート６側のクレープ紙３上にｐＨインクでｐＨ判別部５が形成される。そして、吸収体２等は、表面シート６と裏面シート７との間に介装される。
【００２３】
表面シート６は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シート６に多数の透孔を形成した場合には、尿等の液体がより速やかに吸収されるようになり、ドライタッチ性に優れたものとなる。
【００２４】
裏面シート７は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シート７として用いることができる。
【００２５】
ペット用吸収性シート１００の周縁において、表面シート６と裏面シート７とは、ホットメルト接着剤、ヒートシール、超音波シール等により貼り合わされている。
【００２６】
吸収体は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体を構成することもできる。
【００２７】
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体に消臭剤を入れてもよい。消臭剤としては、例えば、活性炭や天然鉱物（例えば、ベントナイト、カオリナイト、カネマイト等）、合成無機物（ゼオライト、アモルファスシリカ等）を用いることができる。
【００２８】
パルプとポリマーを含む吸収体の上面及び下面は、クレープ紙で包まれており、シート体である表面シート６、若しくは、表面シート６側のクレープ紙の上にｐＨインクでｐＨ判別部５が形成される。
特に、ｐＨ判別部５は吸収体の外包体であるクレープ紙３にｐＨインクで形成するのが最も好適である。
【００２９】
ｐＨインクとしては、吸水による滲み防止のため、インク組成物にアクリル樹脂や非イオン性の水溶性ポリマーやポリビニルアルコール等の親水基及び疎水基を持つ樹脂を結合剤として含有させることができる。
また、インク組成物には、澱粉、カオリン、合成シリカ、ガラス、微結晶セルロース、イオン交換セルロース、珪酸アルミニウム等の吸水性粉末を含有し、尿とｐＨインジケーターとの接触を促進させ、ｐＨインジケーターの呈色反応を促進させることもできる。
さらに、インク組成物には、尿との接触により尿のｐＨに応じて変色するｐＨインジケーターを含有することができる。このようなｐＨインジケーターとして、リトマス、メチルオレンジ、メチルレッド、ブロモチモールブルー、チモールブルー等から選択した１種又は２種以上のものを含有させることができる。
特に、メチルレッドとブロモチモールブルーとの混合指示薬を使用することにより、ｐＨ４．０〜９．０の酸性、中性及びアルカリ性の広い範囲の判別が可能になるため好ましい。
なお、ｐＨインジケーターだけではなく、排尿があったかどうかを判別するための発現性インク（初期状態では、何も印刷されていないように見えていて、汎用を検知すると印刷内容が発現するインク）や消滅インク（初期状態では印刷内容が見えていて、排尿を検知するとそれが消えるインク）を用いることもできる。
【００３０】
図３に示すように、ｐＨ判別部５は、呈色反応部５ａの間に、紙面長手方向に線状の液導入部５ｂがそれぞれ平行に設けられた構成となる。
これらの液導入部５ｂは、液導入部５ｂの部分のｐＨインクによる形成層を除去、若しくは、マスキング等により当該部分のｐＨインクを形成しないことにより設けられる。
また、液導入部５ｂは、肉眼では見えない程度の幅（細さ）であることが好ましい。
【００３１】
ここで、ペットの排尿時における尿のｐＨを判別する過程を説明する。ペット用吸収性シートにペットが排尿すると、排泄された尿は表面シート６及びクレープ紙３を透過して吸収体２で吸収される。
この時、シート体である表面シート６、若しくは、表面シート６側のクレープ３紙の上に形成されたｐＨインクは、浸透してきた尿等と接触して、排泄された尿のｐＨに応じて変色することになる。
【００３２】
但し、図３に示す線状の液導入部５ｂには、疎水性原料を含有するｐＨインクが存在しない。このため、排泄された尿は、先ず、液導入部５ｂに沿って呈色反応部５ａの周囲に流れ込み、その後、呈色反応部５ａの周囲からｐＨインクにそれぞれ浸透する。
【００３３】
例えば、図４（ａ）は、呈色反応部の１つを例示し、図４（ａ）に示す呈色反応部５ａの短手方向の幅”ＷＤ１１”が、呈色反応部５ａの尿の浸透距離”Ｌ”の２倍よりも長い場合を想定する。
この場合、図４中”ＰＴ１１”及び”ＰＴ１２”に示す互いに対向する２つの点から浸透する尿は、互いに交わることがないので、図４中”ＲＭ１１”に示すような呈色反応を生じない部分（非変色部分）が生じる。
【００３４】
一方、例えば、図４（ｂ）に示す呈色反応部５ａの短手方向の幅”ＷＤ１２”が、呈色反応部５ａの尿の浸透距離”Ｌ”の２倍よりも短い場合を想定する。
この場合、図４中”ＰＴ１３”及び”ＰＴ１４”に示す互いに対向する２つの点から浸透する尿は、互いに交わることになるので、図４中”ＲＭ１１”に示すような呈色反応を生じない部分（非変色部分）が生じることなく、呈色反応部５ａの全てで呈色反応が、言い換えれば、ｐＨ判別部５の全体が確実に呈色反応を生じることになる。
【００３５】
この結果、ｐＨインクで形成された呈色反応部５ａと、２つの呈色反応部５ａの間に形成され機能性インクによる形成層が存在しない液導入部５ｂとからｐＨ判別部５を構成し、呈色反応部５ａの短手方向の幅を呈色反応部５ａの尿の浸透距離の２倍よりも短くすることにより、ｐＨインクが含有する疎水性原料に影響を受けることなく、ｐＨ判別部５の全体が確実に呈色反応を生じることができる。
【００３６】
（第２実施形態）
また、本発明の第２実施形態のペット用吸収性シートについて、図５及び図６に基づいて説明する。
【００３７】
ペット用吸収性シート１０１、図５に示すように、略長方形の形状となっており、例えば、ペット用トイレの床面に敷いて使用され、ペットにより排泄された排泄物の水分を表面からシート内に吸収する。また、ペット用吸収性シート１０１にはｐＨインクでｐＨ判別部が形成されている。
【００３８】
また、図６に示すように、パルプとポリマーを含む吸収体２の上面及び下面は、クレープ紙３及び４で包まれており、また、クレープ紙３と表面シート６との間に配置される液移送シート８（表面シートと同じでも良いし、異なっていても良い。透液性のシートであれば良い）上にｐＨインクでｐＨ判別部５が形成される。そして、吸収体２等は、表面シート６と裏面シート７との間に介装される。
【００３９】
また、ｐＨ判別部５は、図３に示した構成と同じであるので、重複する説明は省略する。
【００４０】
ここで、ペットの排尿時における尿のｐＨを判別する過程を説明する。ペット用吸収性シートにペットが排尿すると、排泄された尿は表面シート６、液移送シート８及びクレープ紙３を透過して吸収体２で吸収される。
この時、シート体である液移送シート８の上に形成されたｐＨインクは、浸透してきた尿等と接触して、排泄された尿のｐＨに応じて変色することになる。
【００４１】
その後は、第１実施形態と同様に、図３に示す線状の液導入部５ｂには、疎水性原料を含有するｐＨインクが存在しない。このため、排泄された尿は、先ず、液導入部５ｂに沿って呈色反応部５ａの周囲に流れ込み、その後、呈色反応部５ａの周囲からｐＨインクにそれぞれ浸透する。
【００４２】
例えば、図４（ａ）は、呈色反応部の１つを例示し、図４（ａ）に示す呈色反応部５ａの短手方向の幅”ＷＤ１１”が、呈色反応部５ａの尿の浸透距離”Ｌ”の２倍よりも長い場合を想定する。
この場合、図４中”ＰＴ１１”及び”ＰＴ１２”に示す互いに対向する２つの点から浸透する尿は、互いに交わることがないので、図４中”ＲＭ１１”に示すような呈色反応を生じない部分（非変色部分）が生じる。
【００４３】
一方、例えば、図４（ｂ）に示す呈色反応部５ａの短手方向の幅”ＷＤ１２”が、呈色反応部５ａの尿の浸透距離”Ｌ”の２倍よりも短い場合を想定する。
この場合、図４中”ＰＴ１３”及び”ＰＴ１４”に示す互いに対向する２つの点から浸透する尿は、互いに交わることになるので、図４中”ＲＭ１１”に示すような呈色反応を生じない部分（非変色部分）が生じることなく、呈色反応部５ａの全てで呈色反応が、言い換えれば、ｐＨ判別部５の全体が確実に呈色反応を生じることになる。
【００４４】
この結果、ｐＨインクで形成された呈色反応部５ａと、２つの呈色反応部５ａの間に形成され機能性インクによる形成層が存在しない液導入部５ｂとからｐＨ判別部５を構成し、呈色反応部５ａの短手方向の幅を呈色反応部５ａの尿の浸透距離の２倍よりも短くすることにより、ｐＨインクが含有する疎水性原料に影響を受けることなく、ｐＨ判別部５の全体が確実に呈色反応を生じることができる。
【００４５】
（第３実施形態）
また、本発明の第３実施形態のペット用吸収性シートについて、図７及び図８に基づいて説明する。
【００４６】
ペット用吸収性シート１０２、図７に示すように、略長方形の形状となっており、例えば、ペット用トイレの床面に敷いて使用され、ペットにより排泄された排泄物の水分を表面からシート内に吸収する。また、ペット用吸収性シート１０２にはｐＨインクでｐＨ判別部が形成されている。
【００４７】
また、図８に示すように、シート体９の上にはｐＨインクによりｐＨ判別部１０が形成されている。但し、ｐＨ判別部１０には、図８中”ＩＪ２１”に示すような周囲に比べて形成層の厚さが薄い液導入部が形成される。
【００４８】
これらの液導入部は、マスキング等により液導入部の部分のｐＨインクによる形成層を薄くする、若しくは、形成時の形成層の周辺部の流れ込みを考慮して各呈色反応部を近接して形成することにより、液導入部にｐＨインクを流れ込ませ液導入部の形成層を薄くすることにより設けられる。
また、図３と同様に、例えば、呈色反応部の間に、図８中”ＩＪ２１”に示すような線状の液導入部が平行に設けられた構成とする。
【００４９】
ここで、ペットの排尿時における尿のｐＨを判別する過程を説明する。ペット用吸収性シートにペットが排尿すると、排泄された尿は表面シート６、液移送シート８及びクレープ紙３、或いは、表面シート６、液移送シート８及びクレープ紙３を透過して吸収体で吸収される。
この時、シート体である表面シート６、表面シート６側のクレープ紙３、若しくは、表面シート６と吸収体２間に配置される液移送シート８の上に形成されたｐＨインクは、浸透してきた尿等と接触して、排泄された尿のｐＨに応じて変色することになる。
【００５０】
但し、図８中”ＩＪ２１”に示す線状の液導入部には、疎水性原料を含有するｐＨインクが存在するもののその厚さは薄く、図８中”ＳＤ２１”や”ＳＤ２２”に示すような各呈色反応部の縁が存在する。
このため、排泄された尿は、先ず、液導入部に沿って呈色反応部の周囲に流れ込み、その後、呈色反応部の周囲、特に、図８中”ＳＤ２１”や”ＳＤ２２”に示すような各呈色反応部の縁からｐＨインクにそれぞれ浸透する。
【００５１】
そして、例えば、第１実施形態と同様に、呈色反応部の短手方向の幅を呈色反応部の尿の浸透距離”Ｌ”の２倍よりも短くした場合、呈色反応を生じない部分（非変色部分）が生じることなく、呈色反応部の全てで呈色反応が、言い換えれば、ｐＨ判別部５の全体が確実に呈色反応を生じることになる。
【００５２】
この結果、ｐＨインクで形成された呈色反応部５ａと、２つの呈色反応部５ａの間に形成され周囲に比べて機能性インクによる形成層の厚さが薄い液導入部５ｂとからｐＨ判別部５を構成し、呈色反応部５ａの短手方向の幅を呈色反応部５ａの尿の浸透距離の２倍よりも短くすることにより、ｐＨインクが含有する疎水性原料に影響を受けることなく、ｐＨ判別部５の全体が確実に呈色反応を生じることができる。
【００５３】
（変形例１）
本発明の第１実施形態〜第３実施形態の変形例１について、図９（ａ）に基づいて説明する。
図９（ａ）は、ｐＨ判別部５の構成の変形例１を示す説明図であり、ｐＨ判別部５は、４つの呈色反応部５ａの間に、紙面短手方向に線状の液導入部５ｂが平行に設けられた構成となる。
【００５４】
図９（ａ）に示す変形例１でも、ｐＨ判別部５の呈色反応部の短手方向の幅（図示せず。）が、呈色反応部の尿の浸透距離”Ｌ”の２倍よりも短い場合、呈色反応を生じない部分（非変色部分）が生じることなく、呈色反応部の全てで呈色反応が生じることになる。
【００５５】
（変形例２）
本発明の第１実施形態〜第３実施形態の変形例２について、図９（ｂ）に基づいて説明する。
図９（ｂ）は、ｐＨ判別部５の構成の変形例２を示す説明図であり、ｐＨ判別部５は、１６個の正方形の呈色反応部５ａの間に、紙面短手方向及び紙面長手方向に３本ずつの線状の液導入部５ｂがそれぞれ格子状になるように設けられた構成となる。
【００５６】
図９（ｂ）に示す変形例２でも、ｐＨ判別部５の呈色反応部５ａの短手方向の幅（図９(ｂ)においては正方形のため辺の長さは同じ。）が、呈色反応部５ａの尿の浸透距離”Ｌ”の２倍よりも短い場合、呈色反応を生じない部分（非変色部分）が生じることなく、呈色反応部５ａの全てで呈色反応が生じることになる。
【００５７】
（第４実施形態）
また、本発明の第４実施形態のペット用吸収性シートについて、図１０に基づいて説明する。
図１０は、第４実施形態のペット用吸収性シートのｐＨ判別部１１の詳細を説明する説明図であり、ｐＨ判別部１１は、ｐＨインクで形成された呈色反応部１１ａと、この呈色反応部１１ａを１６個の正方形に分割したと想定した時のそれぞれの正方形（実線及び破線にて図示。）の頂点部分に、９個の円形の液導入部１１ｂが設けられた構成となる。
これらの円形の液導入部１１ｂ、液導入部１１ｂの部分のｐＨインクによる形成層を除去、若しくは、マスキング等により当該部分のｐＨインクを形成しないことにより設けられる。
【００５８】
ここで、ペットの排尿時における尿のｐＨを判別する過程を説明する。ペット用吸収性シートにペットが排尿すると、排泄された尿は表面シート６及びクレープ紙３、或いは、表面シート６、液移送シート８及びクレープ紙３を透過して吸収体で吸収される。
この時、シート体である表面シート６、表面シート６側のクレープ紙３、若しくは、表面シート６と吸収体２間に配置される液移送シート８の上に形成されたｐＨインクは、浸透してきた尿等と接触して、排泄された尿のｐＨに応じて変色することになる。
【００５９】
但し、ｐＨインクで形成された呈色反応部１１ａを１６個の正方形に分割したと想定した時のそれぞれの正方形の辺は対角線よりも短いので、図１０（ｂ）中”ＩＪ３１”に示す液導入部から、図１０（ｂ）中”ＳＤ３１”に示す正方形の対角線方向のｐＨ判別部１１の縁部分及び図１０（ｂ）中”ＩＪ３２”に示す正方形の対角線方向の他の液導入部までの距離を、呈色反応部１１ａの尿の浸透距離”Ｌ”の２倍よりもそれぞれ短くすれば、呈色反応を生じない部分（非変色部分）が生じることなく、呈色反応部１１ａの全てで呈色反応が生じることになる。
【００６０】
（第５実施形態）
また、本発明の第５実施形態のペット用吸収性シートについて、図１０に基づいて説明する。
但し、基本的な説明は第４の実施形態と同じであり、異なる点は、円形の液導入部１１ｂが、マスキング等により液導入部１１ｂの部分のｐＨインクによる形成層を薄くする、若しくは、形成時の形成層の周辺部の流れ込みを考慮して呈色反応部１１ａに近接して形成することにより、液導入部１１ｂにｐＨインクを流れ込ませ液導入部１１ｂの形成層を薄くすることにより設けられる点である。
【００６１】
（実施例）
以下は、これまで説明した第１実施形態〜第５実施形態のペット用吸収性シートの呈色反応部の尿の浸透距離”Ｌ”を、以下に示すｐＨインクの成分比率及び印刷条件で測定した実施例を示すものである。
ｐＨインクは、例えば、ｐＨ指示薬（ＢＴＢ（ブロモチモールブルー））…１％、アクリル樹脂…１０％、シリカ…２％、ｐＨ調整剤…１．３％、イソプロピルアルコール…８５．７％の成分比率である。（但し、ＢＴＢは酸性で黄色、中性で緑色、アルカリ性で青色と変色するように初期のｐＨインク色を緑色となるように調製されているものとする。）
また、印刷条件として、例えば、クレープ紙（目付１６ｇｓｍ、ｐＨ６．３）にグラビア印刷（版深度３０μｍ）で印刷する。
【００６２】
このような諸条件下で、尿の浸透距離”Ｌ”を、「ＪＩＳ  Ｐ８１４１：紙及び平紙−吸水試験法−クレム法」に準じて測定する。（但し、ペット用吸収性シートにおいて、尿のｐＨを判別するのは尿の排泄直後が好ましいため、試験紙を浸す時間を１０秒として測定する。）
【００６３】
この結果、呈色反応部５ａの尿の浸透距離Ｌは、抄紙時の紙の流れの方向（縦目：machine direction(MD)）では、Ｌ＝６ｍｍ、抄紙時の紙の流れ方向と直交する方向（横目：cross direction(CD)）では、Ｌ＝１０ｍｍであった。
【００６４】
すなわち、呈色反応部５ａの短手方向の幅が、測定した呈色反応部５ａの尿の浸透距離”Ｌ”の２倍よりも短い場合、具体的には、１２ｍｍよりも短い場合には、呈色反応を生じない部分（非変色部分）が生じることなく、呈色反応部５ａの全てで呈色反応が生じ、言い換えれば、ｐＨ判別部５が確実に呈色反応を生じる。
【００６５】
同様に、円形の液導入部１１ｂから正方形の対角線方向のｐＨ判別部１１の縁部分及び液導入部１１ａでの幅が、測定した呈色反応部１１ａの尿の浸透距離”Ｌ”の２倍よりも短い場合、具体的には、１２ｍｍよりも短い場合には、呈色反応を生じない部分（非変色部分）が生じることなく、呈色反応部１１ａの全てで呈色反応が生じ、言い換えれば、ｐＨ判別部１１が確実に呈色反応を生じる。
【００６６】
なお、上述のペット用吸収性シートの（第１実施形態）、（第２実施形態）、（第３実施形態）及び（変形例１）の説明に際しては、複数の呈色反応部５ａ（紙面長手方向、若しくは、紙面短手方向）と、２つの呈色反応部５ａの間に形成された液導入部５ｂとからｐＨ判別部５を構成しているが、もちろん、呈色反応部５ａの短手方向の幅が呈色反応部５ａの尿の浸透距離の２倍よりも短くなる条件を満足すれば、このような呈色反応５ａ部の数やその形状に限定されるものではない。
【００６７】
また、上述のペット用吸収性シートの（変形例２）の説明に際しては、１６個の正方形の呈色反応部５ａの間に、紙面短手方向及び紙面長手方向に３本ずつの線状の液導入部５ｂがそれぞれ格子状になるように設けられた構成となる事例を示しているが、もちろん、呈色反応部５ａの短手方向の幅が呈色反応部５ａの尿の浸透距離の２倍よりも短くなる条件を満足すれば、このような呈色反応部５ａの数に限定されるものではない。
さらに、（変形例２）の説明では、呈色反応部５ａの形状が正方形としているが、もちろん、呈色反応部５ａの形状は長方形やその他の形状であっても構わない。
【００６８】
また、上述のペット用吸収性シートの（第４実施形態）及び（第５実施形態）の説明に際して、ｐＨ判別部１１は、ｐＨインクで形成された呈色反応部１１ａと、この呈色反応部１１ａを１６個の正方形に分割したと想定した時の正方形の頂点部分に、９個の円形の液導入部１１ｂが設けられた構成を例示しているが、もちろん、液導入部１１ｂから正方形の対角線方向のｐＨ判別部１１の縁部分までの距離、正方形の対角線方向の縁部分及び正方形の対角線方向の他の液導入部１１ｂまでの距離、若しくは、正方形の対角線方向の他の液導入部１１ｂまでの距離が呈色反応部１１ａの尿の浸透距離”Ｌ”の２倍よりも短くなる条件を満足すれば、この分割数や液導入部１１ｂの個数に限定されるものではない。
また、（第４実施形態）及び（第５実施形態）の説明では、ｐＨ判別部１１を複数の正方形に分割した場合を想定しているが、もちろん、複数の四角形に分割した場合の頂点部分に液導入部１１ｂを設ける構成であっても構わない。
さらに、（第４実施形態）及び（第５実施形態）の説明では、液導入部１１ｂの形状を円形として説明しているが、もちろん、三角形、四角形等の多角形やその他の形状であっても構わない。
【符号の説明】
【００６９】
１，５，１０  ｐＨ判別部
２  吸収体
３，４  クレープ紙
５ａ，１１ａ  呈色反応部
５ｂ，１１ｂ  液導入部
６  表面シート
７  裏面シート
８  液移送シート
９  シート体
１００，１０１，１０２  ペット用吸水性シート
【図１】
0006023438.tif 000002
【図２】
0006023438.tif 000003
【図３】
0006023438.tif 000004
【図４】
0006023438.tif 000005
【図５】
0006023438.tif 000006
【図６】
0006023438.tif 000007
【図７】
0006023438.tif 000008
【図８】
0006023438.tif 000009
【図９】
0006023438.tif 000010
【図１０】
0006023438.tif 000011
【図１１】
0006023438.tif 000012